(57)【要約】【課題】直感的で高い操作性を有する携帯端末を提供する。【解決手段】携帯端末１では、端末本体部２の軸回りの回転方向が反転したときに、反転に応じて表示部３の画面が制御される。これにより、端末本体部２を手で把持するユーザＵが手首の回転によって端末本体部２を回転及び反転させると、その動作に合わせて携帯端末１の操作を実行することができる。したがって、携帯端末１における直感的で高い操作性を実現できる。【選択図】図２
2014192883.tif 000002
【特許請求の範囲】
【請求項１】
表示部に表示する画面を制御する表示制御手段を備えた携帯端末であって、
端末本体部の軸回りの回転を検出する回転検出手段と、
前記回転検出手段の検出結果に基づいて前記端末本体部の回転方向が反転したか否かを判断する反転判断手段と、を備え、
前記表示制御手段は、
前記反転判断手段によって前記端末本体部の回転方向が反転したと判断された場合に、前記表示部に表示された画面において予め設定された操作を実行することを特徴とする携帯端末。
【請求項２】
前記反転判断手段は、前記端末本体部の軸回りの回転の開始から所定時間内に前記端末本体部の回転方向が反転したか否かを判断することを特徴とする請求項１記載の携帯端末。
【請求項３】
前記反転判断手段によって前記端末本体部の回転方向が反転したと判断された場合に、ユーザに対して反転を報知する報知手段を更に備えたことを特徴とする請求項１又は２記載の携帯端末。
【請求項４】
ユーザが前記端末本体部をいずれの手で把持しているかを判断する把持判断手段を更に備え、
前記反転判断手段は、
前記把持判断手段によって前記ユーザが左手で前記端末本体部を把持していることが判断された場合に、前記端末本体部が右回りから左回りに反転したか否かを判断し、
前記把持判断手段によって前記ユーザが右手で前記端末本体部を把持していることが判断された場合に、前記端末本体部が左回りから右回りに反転したか否かを判断することを特徴とする請求項１〜３のいずれか一項記載の携帯端末。
【発明の詳細な説明】
【技術分野】
【０００１】
本発明は、携帯端末に関する。
【背景技術】
【０００２】
近年、携帯端末の小型化が進められ、操作の入力方法も従来のテンキーに加えて、タッチパネル式のディスプレイなどが用いられてきている。また、ユーザの利便性の向上の観点から、補助的な操作の入力を受け付ける携帯端末も検討されている。例えば特許文献１に記載の携帯端末では、直線変位又は回転変位を検出する加速度センサが設けられ、加速度センサの検出結果に基づいて携帯電話機の変位パターンを認識し、認識された変位パターンに対応する一又は複数のコメントが入力欄に入力されるようになっている。
【先行技術文献】
【特許文献】
【０００３】
【特許文献１】特開２００９−２７１６１３号公報
【発明の概要】
【発明が解決しようとする課題】
【０００４】
ユーザの動作を利用した補助的な操作は、ユーザが直感的に携帯端末を操作できる点でユーザの利便性の向上に資すると考えられる。したがって、より直感的で高い操作性を発揮できる携帯端末が望まれている。
【０００５】
本発明は、上記課題の解決のためになされたものであり、直感的で高い操作性を有する携帯端末を提供することを目的とする。
【課題を解決するための手段】
【０００６】
上記課題の解決のため、本発明に係る携帯端末は、表示部に表示する画面を制御する表示制御手段を備えた携帯端末であって、端末本体部の軸回りの回転を検出する回転検出手段と、回転検出手段の検出結果に基づいて端末本体部の回転方向が反転したか否かを判断する反転判断手段と、を備え、表示制御手段は、反転判断手段によって端末本体部の回転方向が反転したと判断された場合に、表示部に表示された画面において予め設定された操作を実行することを特徴としている。
【０００７】
この携帯端末では、端末本体部の軸回りの回転方向が反転したときに、反転に応じて表示部での画面の操作を制御している。これにより、例えば端末本体部を手で把持するユーザが手首の回転によって端末本体部を回転及び反転させると、その動作に合わせて携帯端末の操作を実行することができる。したがって、携帯端末における直感的で高い操作性を実現できる。
【０００８】
また、反転判断手段は、端末本体部の軸回りの回転の開始から所定時間内に端末本体部の回転方向が反転したか否かを判断することが好ましい。この場合、ユーザが意図しない操作が実行されてしまうことを防止できる。
【０００９】
また、反転判断手段によって端末本体部の回転方向が反転したと判断された場合に、ユーザに対して反転を報知する報知手段を更に備えたことが好ましい。これにより、携帯端末での画面の操作の実行をユーザ側で直感的に把握することが可能となる。したがって、ユーザの利便性を更に向上できる。
【００１０】
また、ユーザが端末本体部をいずれの手で把持しているかを判断する把持判断手段を更に備え、反転判断手段は、把持判断手段によってユーザが左手で端末本体部を把持していることが判断された場合に、端末本体部が右回りから左回りに反転したか否かを判断し、把持判断手段によってユーザが右手で端末本体部を把持していることが判断された場合に、端末本体部が左回りから右回りに反転したか否かを判断することが好ましい。このように、ユーザが端末本体部を把持している手を判断することで、操作性を更に高めることができる。
【発明の効果】
【００１１】
本発明に係る携帯端末によれば、直感的で高い操作性が得られる。
【図面の簡単な説明】
【００１２】
【図１】本発明に係る携帯端末の一実施形態を示す正面図である。
【図２】図１に示した携帯端末の機能的な構成要素を示すブロック図である。
【図３】ユーザが端末本体部を左手で把持している場合の把持判断部による判断の様子を示す図である。
【図４】ユーザが端末本体部を右手で把持している場合の把持判断部による判断の様子を示す図である。
【図５】ユーザが端末本体部を左手で把持している場合の操作の様子を示す図であり、（ａ）は初期回転の様子、（ｂ）は反転による画面遷移の様子を示す。
【図６】ユーザが端末本体部を右手で把持している場合の操作の様子を示す図であり、（ａ）は初期回転の様子、（ｂ）は反転による画面遷移の様子を示す。
【図７】図１に示した携帯端末の動作を示すフローチャートである。
【発明を実施するための形態】
【００１３】
以下、図面を参照しながら、本発明に係る携帯端末の好適な実施形態について詳細に説明する。
【００１４】
図１は、本発明に係る携帯端末の一実施形態を示す正面図である。同図に示すように、携帯端末１は、例えばユーザが片手で持つことが可能な程度の大きさの薄板状となっており、端末本体部２の正面側にタッチパネル型の表示部３や操作ボタンなどが設けられている。また、携帯端末１は、物理的には、ＣＰＵ（中央処理装置）、メモリ、通信インターフェイス、ハードディスクなどを備えて構成されている。
【００１５】
この携帯端末１は、操作ボタンの押下やタッチ入力のほか、端末本体部２を手で把持するユーザＵが携帯端末１を軸回りに回転及び反転させる動作を行ったときに、表示部３に表示されている画面に対して予め定められた操作を実行する補助的な操作機能を有している。以下、当該機能について詳細に説明する。
【００１６】
図２は、携帯端末の機能的な構成要素を示すブロック図である。同図に示すように、携帯端末１は、加速度センサ（回転検出手段）１０１と、接触センサ１０２と、把持判断部（把持判断手段）１０３と、反転判断部（反転判断手段）１０４と、報知部（報知手段）１０５と、表示制御部（報知制御手段）１０６とを有している。
【００１７】
加速度センサ１０１は、端末本体部２の軸回りの回転を検出する部分である。本実施形態では、ユーザＵが携帯端末１を縦持ちしている場合が想定されており、軸Ｌは端末本体部２の長手方向に沿って設定されている（図１参照）。加速度センサ１０１は、携帯端末１がオン状態となっている間に端末本体部２の軸回りの回転を常時検出し、検出結果を反転判断部１０４に出力する。
【００１８】
接触センサ１０２は、例えば静電容量の変化等によってユーザＵの指等の接触を検出する部分である。接触センサ１０２の感応部４は、ユーザＵが端末本体部２を様々な態様で把持することを考慮し、端末本体部２の側面部の全周にわたって配置されている（図１参照）。接触センサ１０２は、接触を検出した部分の位置を示す検出結果を把持判断部１０３に出力する。
【００１９】
把持判断部１０３は、ユーザＵが端末本体部２をいずれの手で把持しているかを判断する部分である。把持判断部１０３は、例えばユーザＵが端末本体部２を左手で把持している場合の接触センサ１０２の検出パターンと、ユーザＵが端末本体部２を右手で把持している場合の接触センサ１０２の検出パターンとをそれぞれ記憶しており、接触センサ１０２から受け取った検出結果と検出パターンとを比較してユーザＵが端末本体部２をいずれの手で把持しているかを判断する。そして、把持判断部１０３は、判断結果を反転判断部１０４に出力する。
【００２０】
図３に示す例では、ユーザＵが端末本体部２を左手で把持している。この場合、接触センサ１０２は、端末本体部２の左側面部の下側領域Ｒ１で一定の長さで接触を検出すると共に、端末本体部２の右側面部の中央領域Ｒ２で離散的に接触を検出する。また、図４に示す例では、ユーザＵが端末本体部２を右手で把持している。この場合、接触センサ１０２は、端末本体部２の右側面部の下側領域Ｒ３で一定の長さで接触を検出すると共に、端末本体部２の左側面部の中央領域Ｒ４で離散的に接触を検出する。
【００２１】
したがって、これらの検出パターンを予め把持判断部１０３に記憶させておくことで、把持判断部１０３による判断が可能となる。検出パターンの記憶方法は、特に限定はされないが、予め用意した複数の検出パターンの中からユーザＵが選択した一の検出パターンを把持判断部１０３に記憶させてもよく、ユーザＵが実際に端末本体部２を左手及び右手で把持しているときの検出パターンを把持判断部１０３に記憶させてもよい。
【００２２】
反転判断部１０４は、加速度センサ１０１の検出結果に基づいて端末本体部２の回転方向が反転したか否かを判断する。反転判断部１０４は、判断にあたって、加速度センサ１０１からの検出結果と把持判断部１０３からの検出結果とを受け取る。そして、反転判断部１０４は、把持判断部１０３によってユーザＵが左手で端末本体部２を把持していることが判断された場合には、端末本体部２が所定時間内に右回りから左回りに反転したか否かを判断し、ユーザＵが右手で端末本体部２を把持していることが判断された場合には、端末本体部２が所定時間内に左回りから右回りに反転したか否かを判断する。反転判断部１０４は、端末本体部２の回転方向が反転したと判断した場合に、判断結果を報知部１０５と表示制御部１０６とに出力する。
【００２３】
なお、反転の有無を判断する所定時間は、例えば１秒〜２秒程度で設定される。所定時間を長くしすぎると、ユーザＵの意図しない動作によって反転判断部１０４による反転が判断されてしまうおそれが生じるためである。また、反転判断部１０４は、反転前の回転角及び反転後の回転角の閾値をそれぞれ保有し、所定時間内に閾値を超える回転角以上で回転した場合に限って回転方向が反転したか否かを判断するようにしてもよい。この場合も、ユーザＵの意図しない動作によって反転判断部１０４による反転が判断されてしまうことを防止できる。上記の所定時間や回転角の閾値は、ユーザＵによって予め設定可能としてもよい。
【００２４】
報知部１０５は、反転判断部１０４によって端末本体部２の回転方向が反転したと判断された場合に、ユーザＵに対して反転を報知する部分である。報知部１０５は、例えば端末本体部２を振動させる振動子であってもよく、ＬＥＤ等の発光素子や報知音を発するスピーカであってもよい。報知部１０５は、反転判断部１０４から判断結果を受け取ったときに、ユーザＵへの報知を実行する。
【００２５】
表示制御部１０６は、表示部３に表示する画面を制御する部分である。表示制御部１０６は、反転判断部１０４によって端末本体部２の回転方向が反転したと判断された場合に、表示部３に表示された画面において予め設定された操作を実行する。
【００２６】
図５に示す例では、ユーザＵが端末本体部２を左手で把持している場合の操作の様子を示している。この例では、図５（ａ）に示すように、ユーザＵが端末本体部２を所定時間内に右回りに９０°程度回転させ、その後に回転方向が反転すると、報知部１０５が振動してユーザＵに報知がなされる。回転方向の反転後、図５（ｂ）に示すように、ユーザＵが端末本体部２を所定時間内に左回りに９０°程度回転させると、表示制御部１０６が表示部３の画面を制御し、別ページのアイコン整列画面が回転方向に合わせて右側から左側にスクロールされる。
【００２７】
また、図６に示す例では、ユーザＵが端末本体部２を右手で把持している場合の操作の様子を示している。この例では、図６（ａ）に示すように、ユーザＵが端末本体部２を所定時間内に左回りに９０°程度回転させ、その後に回転方向が反転すると、報知部１０５が振動してユーザＵに報知がなされる。回転方向の反転後、図６（ｂ）に示すように、ユーザＵが端末本体部２を所定時間内に右回りに９０°程度回転させると、表示制御部１０６が表示部３の画面を制御し、別ページのアイコン整列画面が回転方向に合わせて左側から右側にスクロールされる。
【００２８】
なお、表示制御部１０６による画面の制御は、アイコン整列画面のページ移動のほか、キーボード画面のオン・オフ切り替えや、通知バーの表示・非表示の切り替えといった各種の制御であってもよい。
【００２９】
続いて、上述した携帯端末１の動作について説明する。
【００３０】
図７は、携帯端末の動作を示すフローチャートである。同図に示すように、携帯端末１では、まず、ユーザＵが端末本体部２をいずれの手で把持しているかの判断がなされる（ステップＳ０１）。次に、端末本体部２の軸回りの回転が閾値以上で検出されたか否かが判断される（ステップＳ０２）。ステップＳ０２では、ステップＳ０１においてユーザＵが端末本体部２を左手で把持していると判断された場合には、右回りの回転の検出が行われ、ステップＳ０１においてユーザＵが端末本体部２を右手で把持していると判断された場合には、左回りの回転の検出が行われる。端末本体部２の軸周りの回転が検出されない場合には、ステップＳ０１からの処理が再度実行される。
【００３１】
端末本体部２の軸周りの回転が検出された場合には、続いて、所定時間内に端末本体部２の回転方向が反転したか否かが判断される（ステップＳ０３）。所定時間内に回転方向の反転が検出されなかった場合には、ステップＳ０１からの処理が再度実行される。一方、所定時間内に回転方向の反転が検出された場合には、報知部１０５によるユーザＵへの報知がなされる（ステップＳ０４）。
【００３２】
ユーザＵへの報知の後、所定時間内に端末本体部２の反転方向の回転が閾値以上で検出されたか否かが判断される（ステップＳ０５）。所定時間内に反転方向の回転が閾値以上で検出されなかった場合には、ステップＳ０１からの処理が再度実行される。一方、所定時間内に反転方向の回転が閾値以上で検出された場合には、画面の制御が実行される（ステップＳ０６）。
【００３３】
以上説明したように、携帯端末１では、端末本体部２の軸回りの回転方向が反転したときに、反転に応じて表示部３の画面が制御される。これにより、端末本体部２を手で把持するユーザＵが手首の回転によって端末本体部２を回転及び反転させると、その動作に合わせて携帯端末１の操作を実行することができる。したがって、携帯端末１における直感的で高い操作性を実現できる。
【００３４】
また、携帯端末１では、端末本体部２の軸回りの回転の開始から所定時間内に端末本体部２の回転方向が反転したか否かを判断している。これにより、ユーザＵが意図しない操作が実行されてしまうことを防止できる。また、携帯端末１では、端末本体部２の回転方向が反転したと判断された場合に、ユーザＵに対して反転を報知する。これにより、携帯端末１における画面の制御の実行をユーザＵ側で直感的に把握することが可能となる。したがって、ユーザＵの利便性を更に向上できる。
【００３５】
さらに、携帯端末１では、ユーザＵが端末本体部２をいずれの手で把持しているかを判断し、ユーザＵが左手で端末本体部２を把持していることが判断された場合に、端末本体部２が右回りから左回りに反転したか否かを判断し、ユーザＵが右手で端末本体部２を把持していることが判断された場合に、端末本体部２が左回りから右回りに反転したか否かを判断する。このように、ユーザＵが端末本体部２を把持している手を判断することで、操作性を更に高めることができる。
【符号の説明】
【００３６】
１…携帯端末、２…端末本体部、３…表示部、１０１…加速度センサ（回転検出部）、１０３…把持判断部（把持判断手段）、１０４…反転判断部（反転判断手段）、１０５…報知部（報知手段）、１０６…表示制御部（表示制御手段）、Ｌ…軸、Ｕ…ユーザ。
【図１】
2014192883.tif 000003
【図２】
2014192883.tif 000004
【図３】
2014192883.tif 000005
【図４】
2014192883.tif 000006
【図５】
2014192883.tif 000007
【図６】
2014192883.tif 000008
【図７】
2014192883.tif 000009